(57)【要約】【課題】多芯筆記具の、筆記体の筆記先端部を先窄み状に形成した軸筒先端の開口部より出没させる繰出手段の構成要素である、筆記体の開口した後端部に、先端に設けた接合部を圧入して筆記体と連接するスライド部材において、筆記体がスライド部材の軸筒の軸心に向う軸径方向に対して曲がり、所望する曲がり角度に曲げることができるようにする。【解決手段】スライド部材１２の接合部２１を筆記体８が曲がって連接可能に形成する。接合部を設けたスライド部材の先端部１９の先端面１９ａを、軸筒の軸心に向う軸径方向において、中央部が軸径方向の両端部より接合部側の前方に突出し、前記軸径方向と直交する方向においては突出量を同一とした山型形状２３とする。筆記体の後端部２０にスライド部材の接合部を圧入して筆記体がスライド部材に対して曲がった際に、筆記体の後端がスライド部材の先端部の山型形状の斜面に当接するようにする。【選択図】図５
2011025579.tif 000002
【特許請求の範囲】
【請求項１】
軸筒内に複数の筆記体を前後に移動可能に収納した多芯筆記具の、筆記体の筆記先端部を先窄み状に形成した軸筒先端の開口部より出没させる繰出手段の構成要素である、筆記体の開口した後端部に、先端に設けた接合部を圧入して筆記体と連接するスライド部材における筆記体との連接構造であって、前記スライド部材の接合部を筆記体が曲がって連接可能に形成するとともに、接合部を設けたスライド部材の先端部の先端面を、スライド部材を軸筒内に挿着した際の先端部の軸筒の軸心に向う軸径方向において、中央部が軸径方向の両端部より接合部側の前方に突出し、前記軸径方向と直交する方向においては突出量を同一とした山型形状とし、筆記体の後端部にスライド部材の接合部を圧入して筆記体がスライド部材に対して曲がった際に、筆記体の後端がスライド部材の先端部の山型形状の斜面に当接するように連接したことを特徴とする、多芯筆記具のスライド部材における筆記体との連接構造。
【請求項２】
軸筒内に複数の筆記体を前後に摺動可能に収納した多芯筆記具の、筆記体の筆記先端部を先窄み状に形成した軸筒先端の開口部より出没させる繰出手段の構成要素である、筆記体の開口した後端部に、先端に設けた接合部を圧入して筆記体と連接するスライド部材における筆記体との連接構造であって、前記スライド部材の接合部を筆記体が曲がって連接可能に形成するとともに、接合部を設けたスライド部材の先端部の先端面の、スライド部材を軸筒内に挿着した際の先端部の軸筒の軸心に向う軸径方向の中央部で前記軸径方向と直交する方向の部分に、筆記体の後端に当接する先を尖端となす突起部を設け、筆記体の後端部にスライド部材の接合部を圧入して、筆記体がスライド部材に対して曲がった際に、筆記体の後端がスライド部材の先端部の突起部および先端面に当接するように連接したことを特徴とする、多芯筆記具のスライド部材における筆記体との連接構造。
【請求項３】
軸筒内に複数の筆記体を前後に摺動可能に収納した多芯筆記具の、筆記体の筆記先端部を先窄み状に形成した軸筒先端の開口部より出没させる繰出手段の構成要素である、筆記体の開口した後端部に、先端に設けた接合部を圧入して筆記体と連接するスライド部材における筆記体との連接構造であって、前記スライド部材の接合部を筆記体が曲がって連接可能に形成するとともに、筆記体の後端を、筆記体の一方の軸径方向において、中央部が軸径方向の両端部よ筆記体の全長が長くなり、前記軸径方向と直交する他方の軸径方向においては筆記体の全長が同一となるような凹凸形状とし、筆記体の後端部にスライド部材の接合部を圧入する際に、筆記体の後端の凸状部がスライド部材の先端部の軸筒の軸心に向う軸径方向と直交する方向の部分に位置するように圧入し、筆記体がスライド部材に対して曲がった際に筆記体の後端の凹凸形状の斜面がスライド部材の先端部の先端面に当接するように連接したことを特徴とする、多芯筆記具のスライド部材における筆記体との連接構造。
【発明の詳細な説明】
【技術分野】
【０００１】
本発明は、多芯筆記具のスライド部材における筆記体との連接構造に関する。
【背景技術】
【０００２】
軸筒内に複数の筆記体を前後に移動可能に収納し、軸筒に具設した繰出手段により、先窄み状に形成した軸筒先端の開口部より筆記体の筆記先端部を出没させる多芯筆記具は知られている。繰出手段としては、スライド式とか回転式と呼ばれているものがあり、例えば前者は、筆記体としてのボールペンレフィルのインキタンクまたはシャープペンシルユニットの芯タンクの開口した後端部に、軸筒の後端部に形成した軸心方向に延びた摺動溝より隆起部を外方に突出させ摺動溝に沿って前後に摺動可能に配したスライド部材に形成した接合部を挿着し、選択したスライド部材の隆起部を軸筒の先端方向に前進操作することにより軸筒内に収納した所望する筆記体を前進させて、筆記体の筆記先端部を先窄み状に形成した軸筒先端の開口部から突出させるものである。後者は、軸筒を胴軸（前軸とも言う。）と該胴軸の後方に回転可能に連接した回転軸（後軸とも言う。）とで構成し、回転軸を胴軸に対して回転して、回転軸内に具備したカム斜面により、筆記体の開口した後端部に連接した側部に係止突起を有したスライド部材を、係止突起がカム斜面に沿って移動することにより筆記体を前進させ、筆記体の先端部を先窄み状に形成した軸筒先端の開口部から突出させるものである。
【０００３】
両者の繰出手段において、筆記体の開口した後端部に、先端に設けた接合部を圧入して筆記体と連接し、筆記体を前後に移動可能とするスライド部材が繰出手段の構成要素となっており、筆記体をスライド部材に連接する必要があるが、軸筒の軸心の方向に筆記体がスライド部材に対して曲がるように連接しないと、先窄み状に形成した軸筒の先端開口部より筆記体の筆記先端部を突出させる際に、筆記先端部が先窄み状の軸筒の内壁面に沿って前進するので、軸筒の軸心側に押圧され、筆記体を構成する例えばインキタンクや芯タンクを合成樹脂製にした場合には、インキタンクや芯タンクが湾曲し、インキタンクや芯パイプに亀裂が生じたり、さらに芯タンクにおいては収容された替芯が折れたりしてしまう。また、インキタンクや芯タンクを金属製にした場合には、筆記体がスライド部材に対して無理に曲がろうとするので繰出手段の操作性が悪くなったり、スライド部材の接合部を破損してしまうという問題がある。
【０００４】
前記問題を解消するものとして、従来より、筆記体を構成するインキタンクまたは芯タンク等の開口した後端部に挿入するスライド部材の接合部を球状等の形状に形成して、筆記体が軸筒の軸心に向う軸径方向において軸心側に曲がるようにした、多芯筆記具における筆記体とスライド部材との連接構造が知られており、特開平８−２１６５９０号公報には、押圧部材５（スライド部材）の前部突出部（接合部）を、前方に突出した突起５Ｃと、該突起５Ｃの前部に形成された球状部５Ｄで構成し、ボールペン７の後端部に、前記球状部５Ｄを圧入嵌合してボールペン７がスライド部材に対して屈曲可能に連接した技術が開示されている。
【０００５】
しかし、前記したように、スライド部材の接合部を筆記体がスライド部材に対して軸径方向に屈曲可能な形状に設けても、接合部を筆記体の後端部に圧入嵌合した連接構造では、筆記体がスライド部材に対して軸径方向に曲がる際の曲がり角度は、筆記体の後端がスライド部材の先端部に当接することで規制されてしまい、曲がり角度は大きな角度ではなかった。
【０００６】
図１１を用いて詳述すると、例えばスライド式の多芯筆記具におけるスライド部材１２は、該スライド部材１２を常時後方に付勢するために配したスプリング（図示せず）の後端が当接するスプリング受け部１８を設け、該スプリング受け部１８の前方（図１１において下側）に、筆記体８の後端が当接可能な先端部１９を形成し、該先端部１９の前方に、筆記体８の開口した後端部２０に圧入して筆記体８と連接する接合部２１を設けた形状としてある。接合部２１の形状は球状の形状ではないが、円柱状に形成した軸部２１ａの、スライド部材１２を軸筒（図示せず）内に挿着した際の軸筒の軸心に向う軸径方向に直交する方向の対向した２カ所に、筆記体８の後端部２０に圧入した際に、後端縁部２２ａが筆記体８の後端部２０の内壁面と線接触する、前方に向うに従って突出量が漸次少なくなる揺動突起部２２を設けて、筆記体８が前記軸径方向に曲がるようにしたものである。筆記体８がスライド部材１２に対して軸径方向に曲がる際は、筆記体８が接合部２１に対して僅かに前方に移動し、筆記体８の後端の曲がる側の一端がスライド部材１２の先端部１９の先端面１９ａに当接し、筆記体８の後端部２０の前記曲がる側と反対側の内壁面と接合部２１の軸部２１ａの先端縁部２１ａａが当接することで筆記体８のスライド部材１２に対する曲がり角度は規制されてしまい、大きな角度とはならない。
【０００７】
また、軸筒の径が太くなればなるほど筆記体がスライド部材に対する必要とされる軸径方向の曲がり角度はより大きな角度となるが、単に従来のように接合部を筆記体がスライド部材に対して軸径方向に屈曲可能な形状に設けただけでは、筆記体がスライド部材に対して軸径方向に所望する角度に曲げられるようにするのは困難であった。
【０００８】
ところで、軸筒の後端部にヒンジで接続した蓋体を有し、該蓋体を開いて軸筒の後端部部より、後端に押圧するための隆起部を有したスライド部材を連接した筆記体をユーザーの好みに応じて交換できる構造のスライド式の多芯筆記具が、特開２００７−３８６３５号公報に開示されており、市場に商品も提供されている。こうした多芯筆記具においては、図１〜図３を用いて説明すると（便宜上、軸筒内に３本の筆記体を収納した多芯筆記具としてある。）、先窄み状に形成した軸筒２の先端開口部（図示せず）より軸筒２内に収納した筆記体８ａ、８ｂ、８ｃの筆記先端部１７ａ、１７ｂ、１７ｃが突出するには、該筆記先端部１７ａ、１７ｂ、１７ｃが先窄み状の軸筒２の内壁面に沿って前進するので軸筒２の軸心側に押圧されるほかに、図３に示すように、筆記体８ａ、８ｃを連接したスライド部材１２ａ、１２ｃを各摺動溝３に配設しようとすると、スライド部材１２ａ、１２ｃの一部が後軸部２ｂに形成した後軸部２ｂ内を区画するための区画壁部１６に当接してしまうので、各々の筆記体８ａ、８ｃに対しスライド部材１２ａ、１２ｃは矢印に示すように外側方向に曲がざるをえない。従って、この種のスライド式の多芯筆記具においては、各スライド部材１２に対して筆記体８が軸筒２の軸心に向う軸径方向において、軸心側方向に曲がるだけではなく軸心側と反対側にも曲がるようにする必要がある。
【先行技術文献】
【特許文献】
【０００９】
【特許文献１】特開平８−２１６５９０号公報
【特許文献２】特開２００７−３８６３５号公報
【発明の概要】
【発明が解決しようとする課題】
【００１０】
本発明はこうした事実に鑑みなされたもので、軸筒内に複数の筆記体を前後に移動可能に収納した多芯筆記具の、筆記体の筆記先端部を先窄み状に形成した軸筒先端の開口部より出没させる繰出手段の構成要素である、筆記体の開口した後端部に、先端に設けた接合部を圧入して筆記体と連接するスライド部材において、筆記体がスライド部材の軸筒の軸心に向う軸径方向に対して曲がり、所望する曲がり角度に曲げることが可能な、多芯筆記具のスライド部材における筆記体との連接構造を提供するものである。
【課題を解決するための手段】
【００１１】
本発明は、
「１．軸筒内に複数の筆記体を前後に移動可能に収納した多芯筆記具の、筆記体の筆記先端部を先窄み状に形成した軸筒先端の開口部より出没させる繰出手段の構成要素である、筆記体の開口した後端部に、先端に設けた接合部を圧入して筆記体と連接するスライド部材における筆記体との連接構造であって、前記スライド部材の接合部を筆記体が曲がって連接可能に形成するとともに、接合部を設けたスライド部材の先端部の先端面を、スライド部材を軸筒内に挿着した際の先端部の軸筒の軸心に向う軸径方向において、中央部が軸径方向の両端部より接合部側の前方に突出し、前記軸径方向と直交する方向においては突出量を同一とした山型形状とし、筆記体の後端部にスライド部材の接合部を圧入して筆記体がスライド部材に対して曲がった際に、筆記体の後端がスライド部材の先端部の山型形状の斜面に当接するように連接したことを特徴とする、多芯筆記具のスライド部材における筆記体との連接構造。
２．軸筒内に複数の筆記体を前後に摺動可能に収納した多芯筆記具の、筆記体の筆記先端部を先窄み状に形成した軸筒先端の開口部より出没させる繰出手段の構成要素である、筆記体の開口した後端部に、先端に設けた接合部を圧入して筆記体と連接するスライド部材における筆記体との連接構造であって、前記スライド部材の接合部を筆記体が曲がって連接可能に形成するとともに、接合部を設けたスライド部材の先端部の先端面の、スライド部材を軸筒内に挿着した際の先端部の軸筒の軸心に向う軸径方向の中央部で前記軸径方向と直交する方向の部分に、筆記体の後端に当接する先を尖端となす突起部を設け、筆記体の後端部にスライド部材の接合部を圧入して、筆記体がスライド部材に対して曲がった際に、筆記体の後端がスライド部材の先端部の突起部および先端面に当接するように連接したことを特徴とする、多芯筆記具のスライド部材における筆記体との連接構造。
３．軸筒内に複数の筆記体を前後に摺動可能に収納した多芯筆記具の、筆記体の筆記先端部を先窄み状に形成した軸筒先端の開口部より出没させる繰出手段の構成要素である、筆記体の開口した後端部に、先端に設けた接合部を圧入して筆記体と連接するスライド部材における筆記体との連接構造であって、前記スライド部材の接合部を筆記体が曲がって連接可能に形成するとともに、筆記体の後端を、筆記体の一方の軸径方向において、中央部が軸径方向の両端部よ筆記体の全長が長くなり、前記軸径方向と直交する他方の軸径方向においては筆記体の全長が同一となるような凹凸形状とし、筆記体の後端部にスライド部材の接合部を圧入する際に、筆記体の後端の凸状部がスライド部材の先端部の軸筒の軸心に向う軸径方向と直交する方向の部分に位置するように圧入し、筆記体がスライド部材に対して曲がった際に筆記体の後端の凹凸形状の斜面がスライド部材の先端部の先端面に当接するように連接したことを特徴とする、多芯筆記具のスライド部材における筆記体との連接構造。」
である。
【００１２】
本発明における筆記体の開口した後端部に挿入するスライド部材の接合部とは、スライド部材の先端部に前方に突出させて設けるが、先端部より前方に突出した全ての部分を接合部と言い、形状については特に限定はされず、例えば、スライド部材の先端部に筆記体の開口した後端部の内径より小径に設けた軸部と、その軸部の先端に筆記体の後端部に圧入状態で挿入する圧入部とで構成した形状のものでも良いし、スライド部材の先端部に筆記体の後端部に圧入状態で挿入する形状でも良い。また、スライド部材の先端部とは、接合部が筆記体の開口した後端部に挿入した際に、筆記体の後端が当接する部分を言うものである。先端部をスライド部材に先端部の外径より小径な小径軸部を介して設けるように形成しても良い。
【００１３】
本発明において、スライド部材の接合部を筆記体が曲がって連接可能に形成するには、前記したように、スライド部材の先端部の前方に、筆記体の開口した後端部の内径より小径な軸部を設け、該軸部の前部に筆記体が折り曲げ可能となる球状部等を設けて接合部を構成したものでも良いし、スライド部材の先端部の前方に、同じように筆記体の開口した後端部の内径より小径な軸部を設け、該軸部の軸筒の軸心に向う軸径方向と直交する方向の側部に筆記体の後端部の内壁面に点接触または線接触で圧入するような揺動当接部を設けた構造のものでも良く、従来より知られている接合部の形状をそのまま採用することができる。
【００１４】
本発明において筆記体とは、少なくともボールペンチップとパイプ状のインキを収容するインキタンクで構成されたボールペンレフィルや、インキを収容したパイプ状のインキタンクの先端に、繊維束のペン先を装着したマーカー用レフィルや、シャープペンシル本体と芯を収容するのパイプ状の芯タンクとで構成されたシャープペンシルユニット等であるが、入力部材の後部にパイプを固着してなる入力ペンや、パイプ内に該パイプを前方に押圧することによりパイプ内に収容した例えば描画材や消しゴム等の棒状物を先端より繰出すための機構を有した棒状体繰出しユニットも筆記体と言い、多芯筆記具に組込まれ、前記スライド部材に連接して、繰出操作により、先端を軸筒の先端開口部より出没させるものは、使用目的に関わらず筆記体と言う。
【００１５】
本発明において、スライド部材に対して筆記体が軸筒の軸心に向う軸径方向において所望する曲がり角度となるようにするには、請求項１に係る発明においては、スライド部材の先端部の先端面の山型形状における斜面の傾斜度を適宜設定することで可能となる。なお斜面は、直線形状でも円弧形状でも良い。請求項２部に係る発明においては、スライド部材の先端部に設けた突起部の突出量を適宜設定することで可能となる。請求項３に係る発明においては、筆記体の後端の波型状の凹凸形状における斜面の傾斜度を適宜設定することで可能となる。なお斜面は、請求項１に係る発明と同様に直線形状でも円弧形状でも良い。
【発明の効果】
【００１６】
本発明は前記したような構造なので、軸筒内に複数の筆記体を前後に移動可能に収納した多芯筆記具の、筆記体の筆記先端部を先窄み状に形成した軸筒先端の開口部より出没させる繰出手段の構成要素である、筆記体の開口した後端部に、先端に設けた接合部を圧入して筆記体と連接するスライド部材において、筆記体がスライド部材の軸筒の軸心に向う軸径方向に対して曲がることができ、所望する曲がり角度に曲げることが容易にできる。
【図面の簡単な説明】
【００１７】
【図１】本発明の実施例のスライド式の多芯筆記具の立体図である。
【図２】図１のスライド式の多芯筆記具における、スライド部材に連接した筆記体を軸筒内に収納する前の状態を示した図である。
【図３】図１のスライド式の多芯筆記具における、スライド部材に連接した筆記体を軸筒内に収納するときの状態を示す、スライド式の多芯筆記具の要部の縦断面図である。
【図４】本発明の第１の実施例を示す、スライド部材の先端部分周りの図で、（ａ）は正面図であり、（ｂ）は右側面図である。
【図５】図４において、スライド部材の接合部を筆記体の後端部に圧入した状態を示す図で、（ａ）スライド部材と筆記体が真っ直ぐに連接した状態を示した図であり、（ｂ）スライド部材と筆記体が折れ曲がって連接した状態を示す図である。
【図６】本発明の第２の実施例を示す、スライド部材の先端部分周りの図で、（ａ）は正面図であり、（ｂ）は右側面図である。
【図７】図６において、スライド部材の接合部を筆記体の後端部に圧入した状態を示す図で、（ａ）スライド部材と筆記体が真っ直ぐに連接した状態を示した図であり、（ｂ）スライド部材と筆記体が折れ曲がって連接した状態を示す図である。
【図８】本発明の第３の実施例における、スライド部材の先端部分周りの図で、（ａ）は正面図であり、（ｂ）は右側面図である。
【図９】本発明の第３の実施例における、筆記体の後端部分周りの図で、（ａ）は正面図であり、（ｂ）は右側面図である。
【図１０】本発明の第３の実施例を示し、スライド部材の接合部を筆記体の後端部に圧入した状態を示す図で、（ａ）スライド部材と筆記体が真っ直ぐに連接した状態を示した図であり、（ｂ）スライド部材と筆記体が折れ曲がって連接した状態を示す図である。
【図１１】従来における、スライド部材の接合部を筆記体の後端部に圧入した状態を示す図で、（ａ）スライド部材と筆記体が真っ直ぐに連接した状態を示した図であり、（ｂ）スライド部材と筆記体が折れ曲がって連接した状態を示す図である。
【発明を実施するための最良の形態】
【００１８】
多芯筆記具のスライド部材における筆記体との連接構造において、スライド部材の接合部を筆記体が曲がって連接可能に形成するとともに、接合部を設けたスライド部材の先端部にまたは筆記体の後端部に、スライド部材の接合部を筆記体の後端部に圧入して、筆記体がスライド部材に対して曲がった際に曲がり角度が大きくなるような手段を施す。
【実施例】
【００１９】
以下、本発明の筆記具の実施例を図面を用いて説明する。
本発明の実施例の多芯筆記具として、前記した、軸筒の後端部にヒンジで接続した蓋体を有し、該蓋体を開いて軸筒の後端部部より、後端に押圧するための隆起部を有したスライド部材を連接した筆記体をユーザーの好みに応じて交換できる構造のスライド式の多芯筆記具とするが、本発明は、本実施例のスライド式の多芯筆記具における筆記体とスライド部材との連接構造に限定されるものではない。
【００２０】
先ず、本実施例のスライド式の多芯筆記具１について、図１〜図３を用いて簡単に説明する。便宜上、軸筒内に３本の筆記体を収納した多芯筆記具とするが、軸筒内に２本あるいは４本の筆記体を収納したものでも良く、数に制約はない。軸筒２は、両端を開口した前軸部２ａと後軸部２ｂとで構成しており、前軸２ａと後軸２ｂは螺着している。後軸２ｂの周側面には３つの摺動溝３を形成してあり、図３に示すように、後軸２ｂの内部は区画部材４や区画壁部１６により３つに区画され、各区画室５ａ、５ｂ、５ｃ（図３においては便宜上２つに仕切られた状態に描いてある。）に仕切られており、各区画室５ａ、５ｂ、５ｃｂは前記摺動溝３に対応して設けてある。
【００２１】
各々の摺動溝３および各区画室５ａ、５ｂ、５ｃに、ボールペンチップ６と異なった色のインキを収容したパイプ状のインキタンク７とで構成されたボールペンレフィルの筆記体８ａ、８ｂ（図２を参照）や、シャープペンシル本体９と芯を収容するのパイプ状の芯タンク１０とで構成されたシャープペンシルユニット等の筆記体８ｃを先端に連接し、後端部に隆起部１１を有したスライド部材１２ａ、１２ｂ、１２ｃを、隆起部１１を摺動溝３より外方に突出させて摺動可能に配設するが、本実施例の多芯筆記具１は、後軸部２ｂの後端に、ヒンジ（図示せず）で接続した蓋体１３を有し、該蓋体１３を開いて、前記筆記体８ａ、８ｂ、８ｃを連接したスライド部材１２ａ、１２ｂ、１２ｃを、矢印で示すように後軸部２ｂの後端開口部１４より挿入し、各区画室５ａ、５ｂ、５ｃに配したスプリング１５により、筆記体８およびスライド部材１２を常時後方に付勢した状態で前後に摺動可能に軸筒２内に配設する構造のものである。
【００２２】
こうした構造では、図３に示すように、筆記体８ａ、８ｃを連接したスライド部材１２ａ、１２ｃを各摺動溝３に配設しようとすると、スライド部材１２ａ、１２ｃの一部が後軸部２ｂに形成した後軸部２ｂ内を区画するための壁部１６に当接し、各々の筆記体８ａ、８ｃに対しスライド部材１２ａ、１２ｃは矢印で示すような外側方向に曲げて挿入するようになる。従って、こうした構造のスライド式の多芯筆記具１にあっては、図示していないが、先窄み状に形成した前軸部２ａの先端開口部（図示せず）より筆記体８の筆記先端部１７を突出する際は、筆記体８の筆記先端部１７が、先窄み状の前軸部２ａの内壁面に沿って前進することからスライド部材１２に対して筆記体８が前軸部２ａの軸心に向う軸径方向において軸心側へ曲がり、また前記軸径方向の軸心側と反対側にも曲がるような構造とする必要がある。
【実施例１】
【００２３】
図４〜図５は、スライド部材１２に対して筆記体８が前軸部（図示せず）の軸心に向う軸径方向において軸心側と反対側にも曲がるようにした構造の第１の実施例を示すものである。図４に示すように、スライド部材１２は、従来の構造と同様に、スライド部材１２を常時後方に付勢するために配したスプリング（図示せず）の後端が当接するスプリング受け部１８を設けてあり、該スプリング受け部１８の前方（図４において下側）には、筆記体８の後端が当接可能な先端部１９を形成してある（図５を参照）。先端部１９の前方には、筆記体８の開口した後端部２０に圧入して筆記体８と連接し、かつ筆記体８が曲がって連接可能な接合部２１を設けてある。
【００２４】
接合部２１は、円柱状に形成した軸部２１ａの、スライド部材１２を軸筒２内に挿着した際の軸筒２の軸心に向う軸径方向に直交する方向の対向した２カ所に、筆記体８の後端部２０に圧入した際に、後端縁部２２ａが筆記体８の後端部の内壁面と線接触する、前方（図４において下側）に向うに従って突出量が漸次少なくなる揺動突起部２２を設けて、筆記体８が前記軸径方向に曲がることができるような構造としてある。
【００２５】
本実施例における新たな構造は、スライド部材１２の先端部１９の先端面１９ａを、図５の（ａ）に示すように、前記軸径方向において、中央部が軸径方向の両端部より接合部２１側の前方に突出し、筆記体８の後端に接合部２１を接合した際に筆記体８の後端からの離間距離が長くなるように突出させ、前記軸径方向と直交する方向においては、突出量を同一として筆記体８の後端からの離間距離が同一となるような山型形状２３としたことである。こうしたことで、図５の（ｂ）に示すように、筆記体８がスライド部材１２に対して曲がった際には、筆記体８の後端が前記先端部１９の先端面１９ａの山型形状２３の斜面に当接するので、従来の構造における曲がり角度より大きな角度となる。
【実施例２】
【００２６】
図６〜図７は、第２の実施例を示すものである。図６に示すように、スライド部材１２は、第１の実施例と同様に、スプリング受け部１８の前方（図６において下側）には、筆記体８の後端が当接可能な先端部１９を形成してある（図７を参照）。先端部１９の前方には、筆記体８の開口した後端部２０に圧入して筆記体８と連接し、かつ筆記体８が曲がって連接可能な揺動突起部２２有した接合部２１を設けてある。
【００２７】
本実施例における新たな構造は、図６の（ａ）に示すように、スライド部材１２の先端部１９の先端面１９ａの前記軸径方向の中央部の前記軸径方向と直交する方向の部分に、図６に示すように筆記体８の後端に当接する前方（図６において下側）に突出した、先が尖った突起部２４を設けたことである。こうしたことで、図７の（ｂ）に示すように、筆記体８がスライド部材１２に対して曲がった際には、筆記体８の後端が前記突起部２４と先端面１９ａに当接することで、従来の構造における曲がり角度より大きな角度となる。
【実施例３】
【００２８】
図８〜図１０は、第３の実施例を示すものである。図８に示すように、スライド部材１２は、第１の実施例と同様で従来のスライド部材１２と同様に、スプリング受け部１８の前方（図８において下側）には、筆記体（図示せず）の後端が当接可能な先端部１９を形成してある。先端部１９の前方には、筆記体８の開口した後端部２０に圧入して筆記体８と連接し、かつ筆記体８が曲がって連接可能な揺動突起部２２有した接合部２１を設けてある。
【００２９】
本実施例における新たな構造は、図９に示すように、筆記体８の後端を、筆記体８における一方の軸径方向において、中央部が前記軸径方向の両端部より筆記体８の全長が長くなり（図９の（ａ）を参照）、前記軸径方向と直交する他方の軸径方向においては筆記体の全長が同一となる（図９の（ｂ）を参照）ようなＲ状の凹凸形状２５に設けたことである。こうしたことで、図１０の（ｂ）に示すように、筆記体８がスライド部材１２に対して曲がった際には、筆記体８の後端の凹凸形状２５の斜面２６が先端面１９ａに当接することで、従来の構造における曲がり角度より大きな角度となる。
【産業上の利用可能性】
【００３０】
本発明は、多芯筆記具における筆記体のスライド部材に連接するパイプ状の軸部を、特に金属製として、インキタンクに収容されるインキや芯タンクに収容される芯の数を増量したい場合に、あるいは軸筒内に収納する筆記体の数を増やしたい軸径が太くなってしまう場合に適用できる。
【符号の説明】
【００３１】
１  多芯筆記具
２  軸筒
３  摺動溝
８  筆記体
１１  隆起部
１２  スライド部材
１７  筆記先端部
１９  先端部
１９ａ  先端面
２１  接合部
２３  山型形状
２４  突起部
２５  凹凸形状
２６  斜面
【図１】
2011025579.tif 000003
【図２】
2011025579.tif 000004
【図３】
2011025579.tif 000005
【図４】
2011025579.tif 000006
【図５】
2011025579.tif 000007
【図６】
2011025579.tif 000008
【図７】
2011025579.tif 000009
【図８】
2011025579.tif 000010
【図９】
2011025579.tif 000011
【図１０】
2011025579.tif 000012
【図１１】
2011025579.tif 000013